(57)【要約】【課題】携帯端末の接続先の通信網が、電界強度が弱い通信網へと自動的に切り替わることを防止可能にする。【解決手段】設定された透過周波数以外の電波５００を遮断する電波遮断シート１１０を有する電波シャッター１００を、建物の窓３００を覆う状態で取り付ける電波遮断方法であって、電波遮断シート１１０が、データ通信にて使用されるデータ通信周波数の電波の室内１０における電界強度と、音声通話にて使用される音声通話周波数の電波の室内１０における電界強度とに基づいて、透過周波数を設定するステップと、電波遮断シート１１０が、透過周波数以外の電波５００を遮断するステップとを有する。【選択図】図１
2016063440.tif 000002
【特許請求の範囲】
【請求項１】
設定された透過周波数以外の電波を遮断する電波遮断シートを有する電波シャッターを、建物の窓を覆う状態で取り付ける電波遮断方法であって、
前記電波遮断シートが、データ通信にて使用されるデータ通信周波数の電波の室内における電界強度と、音声通話にて使用される音声通話周波数の電波の前記室内における電界強度とに基づいて、前記透過周波数を設定するステップと、
前記電波遮断シートが、前記透過周波数以外の電波を遮断するステップと、
を有する、電波遮断方法。
【請求項２】
請求項１に記載の電波遮断方法において、
前記透過周波数を設定するステップは、前記電波遮断シートが、電界強度が所定値以上の電波の周波数を前記透過周波数として設定する、電波遮断方法。
【請求項３】
請求項１に記載の電波遮断方法において、
前記電波遮断シートは、
電力が供給されることで前記データ通信周波数以外の電波を遮断するデータ通信周波数遮断シートと、
電力が供給されることで前記音声通話周波数以外の電波を遮断する音声通話周波数遮断シートと、
を有し、
前記透過周波数を設定するステップは、前記電波遮断シートが、前記データ通信周波数遮断シートおよび／または前記音声通話周波数遮断シートに電力を供給することで、前記透過周波数を設定する、
電波遮断方法。
【請求項４】
建物の窓を覆う状態で取り付けられ、前記建物の室内へ侵入可能な透過周波数の電波以外の電波を遮断する電波遮断シートを有する電波シャッターであって、
前記電波遮断シートは、データ通信にて使用されるデータ通信周波数の電波の前記室内における電界強度と、音声通話にて使用される音声通話周波数の電波の前記室内における電界強度とに基づいて設定される前記透過周波数以外の電波を遮断する、電波シャッター。
【請求項５】
請求項４に記載の電波シャッターにおいて、
前記窓の室内側または室外側の上方に設けられる収納部をさらに有し、
前記電波遮断シートは、
前記収納部に収納され、
前記収納部から展開された状態で前記透過周波数以外の電波を遮断する、
電波シャッター。
【請求項６】
請求項５に記載の電波シャッターにおいて、
前記電波遮断シートの上端は、前記収納部が有する回転軸に固定され、
前記電波遮断シートは、
前記回転軸を軸にして巻き上げられることに伴い、前記収納部に収納されていき、丸められた状態で前記収納部に収納され、
前記収納部から巻き戻されることに伴い、展開される、
電波シャッター。
【請求項７】
請求項４に記載の電波シャッターにおいて、
前記電波遮断シートは、
電力が供給されることで前記データ通信周波数以外の電波を遮断するデータ通信周波数遮断シートと、
電力が供給されることで前記音声通話周波数以外の電波を遮断する音声通話周波数遮断シートと、
を有し、
前記データ通信周波数遮断シートおよび／または前記音声通話周波数遮断シートに電力が供給されることで、前記透過周波数以外の周波数の電波を遮断する、
電波シャッター。
【請求項８】
請求項４に記載の電波シャッターにおいて、
前記電波遮断シートに電力を供給する太陽電池モジュールをさらに有する、電波シャッター。
【請求項９】
請求項４に記載の電波シャッターにおいて、
前記窓の室内側または室外側の上方に左右方向に設けられるレールをさらに有し、
前記電波遮断シートの上端は、前記レールに水平方向に摺動自在に取り付けられ、
前記電波遮断シートは、
前記電波遮断シートの、前記レールに取り付けられた一端が他端に向かって移動されることで、折り畳められ、
前記電波遮断シートの、前記レールに取り付けられた一端が前記他端から離れる方向に移動されることで展開される、
電波シャッター。
【発明の詳細な説明】
【技術分野】
【０００１】
本発明は、電波遮断方法および電波シャッターに関する。
【背景技術】
【０００２】
携帯端末に通信エリアを提供する無線基地局が知られている。また、無線基地局からの電波を増幅するリピータが知られている。また、電気通信事業者が、申込者からの要求に応じて、オフィスや一般家庭などの電波環境を測定した後、リピータを設置することで建物の室内の電波環境を改善することが知られている。
【０００３】
特開２００４−１５１０３号公報（特許文献１）には、建物の室内で使用される携帯端末が、室内に設置された小型の基地局を介して各種ネットワークに接続されることが記載されている。
【０００４】
また、特開２００８−１２４５３９号公報（特許文献２）には、目的とする周波数の電波を透過する状態と、遮蔽する状態とに相互変換可能な電波シャッターが記載されている。
【先行技術文献】
【特許文献】
【０００５】
【特許文献１】特開２００４−１５１０３号公報
【特許文献２】特開２００８−１２４５３９号公報
【発明の概要】
【発明が解決しようとする課題】
【０００６】
ここで、音声通話時に携帯端末の接続先の通信網をＬＴＥ（Ｌｏｎｇ  Ｔｅｒｍ  Ｅｖｏｌｕｔｉｏｎ）通信網から３Ｇ通信網へと自動的に切り替える機能であるＣＳＦＢ（Ｃｉｒｃｕｉｔ  Ｓｗｉｔｃｈｅｄ  ＦａｌｌＢａｃｋ）が知られている。
【０００７】
例えば、３Ｇ通信網の電界強度が弱い環境下では、ＣＳＦＢによって、ＬＴＥ通信網から電界強度の弱い３Ｇ通信網へと自動的に切り替えられるため、リピータを設置することでＬＴＥ通信網の電界強度を強化したとしても、電波環境が改善しないという問題があった。
【０００８】
本発明の目的は、携帯端末の接続先の通信網が、電界強度が弱い通信網へと自動的に切り替わることを防止可能にする技術を提供することである。
【課題を解決するための手段】
【０００９】
本願において開示される発明のうち、代表的なものの概要を簡単に説明すれば、次の通りである。
【００１０】
本発明の一実施の形態の電波遮断方法は、設定された透過周波数以外の電波を遮断する電波遮断シートを有する電波シャッターを、建物の窓を覆う状態で取り付ける電波遮断方法であって、前記電波遮断シートが、データ通信にて使用されるデータ通信周波数の電波の室内における電界強度と、音声通話にて使用される音声通話周波数の電波の前記室内における電界強度とに基づいて、前記透過周波数を設定するステップを有する。また、前記電波遮断シートが、前記透過周波数以外の電波を遮断するステップを有する。
【００１１】
また、本発明の一実施の形態における電波シャッターは、建物の窓を覆う状態で取り付けられ、前記建物の室内へ侵入可能な透過周波数の電波以外の電波を遮断する電波遮断シートを有する電波シャッターであって、前記電波遮断シートは、データ通信にて使用されるデータ通信周波数の電波の前記室内における電界強度と、音声通話にて使用される音声通話周波数の電波の前記室内における電界強度とに基づいて設定される前記透過周波数以外の電波を遮断する。
【発明の効果】
【００１２】
本願において開示される発明のうち、代表的なものによって得られる効果を簡単に説明すれば以下のとおりである。
【００１３】
本発明の代表的な実施の形態によれば、携帯端末の接続先の通信網が、電界強度が弱い通信網へと自動的に切り替わることを防止できる。
【図面の簡単な説明】
【００１４】
【図１】本発明の一実施の形態における電波遮断方法によって電波シャッターが設置された状態を示す図である。
【図２】（ａ）および（ｂ）は、図１に示す電波シャッターの電波遮断シートの外観の一例を示す図であり、（ａ）は、電波遮断シートの正面図を示し、（ｂ）は、電波遮断シートの横断面図を示す。
【図３】（ａ）および（ｂ）は、図１に示す電波シャッターの電波遮断シートの外観の一例を示す斜視図であり、（ａ）は、電波遮断シートが丸められた状態を示し、（ｂ）は、電波遮断シートが展開された状態を示す。
【図４】（ａ）および（ｂ）は、図１に示す電波シャッターの縦断面図であり、（ａ）は、電波遮断シートが丸められた状態を示し、（ｂ）は、電波遮断シートが展開された状態を示す。
【図５】本発明の一実施の形態における電波遮断方法によって電波シャッターが設置された状態を示す図である。
【図６】本発明の一実施の形態における電波遮断方法によって電波シャッターが設置された状態を示す図である。
【発明を実施するための形態】
【００１５】
以下、本発明の実施の形態を図面に基づいて詳細に説明する。なお、実施の形態を説明するための全図において、同一部には原則として同一の符号を付し、その繰り返しの説明は省略する。
【００１６】
本発明の一実施の形態は、建物の窓を覆う状態で取り付けられ、建物の室内へ侵入可能な透過周波数の電波以外の電波を遮断する電波遮断シートを有する。また、電波遮断シートには、電界強度が所定値（例えば、１．６Ｖ／ｍ）以上の電波の周波数が透過周波数として設定される。そして、電波遮断シートは、電界強度が弱い（電界強度が所定値（例えば、１．６Ｖ／ｍ）未満）電波を遮断する。これによって、室内の携帯端末は、電界強度が弱い電波を受信することがなくなり、電界強度の弱い通信網が携帯端末の接続先の候補として存在しなくなる。そして、ＣＳＦＢによって接続先の通信網が、電界強度の弱い通信網へ自動で切り替わることを防止できる。
【００１７】
また、電波シャッターは、電力が供給されることで、データ通信にて使用されるデータ通信周波数以外の電波を遮断するデータ通信周波数遮断シートと、電力が供給されることで音声通話にて使用される音声通話周波数以外の電波を遮断する音声通話周波数遮断シートとが、層状に重ねられることで形成される。そして、室内の電波環境に応じて、電力を供給するシートを変更することで、遮断する電波を選択可能になる。
【００１８】
また、電波シャッターの電波遮断シートが、収納部に収納されることで、電波シャッターを使用しない時に電波シャッターを隠すことが可能になり、建物の室内の外観を向上できる。
【００１９】
また、電波遮断シートに電力を供給する太陽電池モジュールをさらに有することで、コンセントと接続するためのプラグおよびコードが不要になり、建物の室内の外観を向上できる。
【００２０】
また、電波遮断シートの上端が、レールに水平方向に摺動自在に取り付けられ、電波遮断シートは、電波遮断シートの一端が他端に向かって移動されることで、折り畳められる。これによって、電波シャッターを使用しない時に、電波シャッターが目立ちにくくなり、建物の室内の外観を向上できる。
【００２１】
図１は、本発明の一実施の形態における電波シャッターが設置された状態を示す図である。
【００２２】
図１に示されるように、電波シャッター１００は、電波遮断シート１１０を有する。そして、電波シャッター１００は、電波遮断シート１１０が建物の窓３００を覆う状態で設置される。電波シャッター１００の電波遮断シート１１０は、透過可能な電波の周波数である透過周波数を設定可能に構成される。なお、電波シャッター１００を実現するのには、公知の技術を用いれば良いため、詳細な説明を省略する。具体的には、電波遮断シート１１０は、透過周波数の４分の１波長の間隔でリアクタンスと高抵抗とが交互に設けられた導体線が、互いに並行して複数配列されており、各導体線に電圧が給電されることで、透過周波数以外の周波数を遮断する。なお、電波シャッター１００の電力供給部（不図示）は、各導体線に給電する電圧を変更することで、透過周波数を設定する。なお、電波シャッター１００を、抵抗体被膜と電波反射体とが誘電体層を挟んで配置される構成としても良い。
【００２３】
電気通信事業者は、申込者からの要求に応じて、建物の室内１０の電波環境を測定する。具体的には、電気通信事業者は、データ通信にて使用されるデータ通信周波数（例えば、ＬＴＥで使用される周波数）と、データ通信から音声通信へ切り替えられた後に音声通話にて使用される音声通話周波数（例えば、３Ｇで使用される周波数）を測定する。
【００２４】
そして、電波シャッター１００の電力供給部は、電波遮断シート１１０に電力を供給することで、透過周波数を設定する。
【００２５】
また、電気通信事業者は、測定したデータ通信周波数の電波の電界強度および音声通話周波数の電波の電界強度に基づいて、データ通信周波数または音声通話周波数のうち、少なくともいずれか一方が透過周波数として設定された電波遮断シート１１０を、建物の窓３００を覆う状態で設置する。
【００２６】
より詳細には、測定したデータ通信周波数の電波の電界強度および音声通話周波数の電波の電界強度のうち、電界強度が所定値（例えば、１．６Ｖ／ｍ）以上の電波の周波数が、透過周波数として設定された電波遮断シート１１０が、建物の窓３００を覆う状態で設置される。建物の窓３００を覆う状態で設置された電波遮断シート１１０は、透過周波数の電波４００の室内１０への侵入を許可し、透過周波数以外の周波数の電波５００を遮断する。
【００２７】
携帯端末２００は、電波遮断シート１１０を透過する透過周波数の電波４００のみを受信する。例えば、３Ｇ通信網の電界強度が弱い環境下においては、ＬＴＥ通信網の電波の周波数が通過可能周波数として、電波遮断シート１１０に設定される。そして、電波遮断シート１１０は、３Ｇ通信網で使用される電波を遮断し、ＬＴＥ通信網で使用される電波を透過する。そのため、室内へは、ＬＴＥ通信網で使用される電波のみが侵入する。そして、携帯端末２００は、３Ｇ通信網で使用される電波を受信できないため、室内１０でＣＳＦＢによって、ＬＴＥ通信網から電界強度が弱い３Ｇ通信網へ自動で切り替わることを防止できる。
【００２８】
以下、電波遮断シート１１０について、図２（ａ）および（ｂ）を用いて詳細に説明する。図２（ａ）および（ｂ）は、図１に示す電波シャッターの電波遮断シートの外観の一例を示す図であり、（ａ）は、電波遮断シート１１０の正面図を示し、（ｂ）は、電波遮断シート１１０の横断面図を示す。
【００２９】
図２（ａ）に示されるように、電波遮断シート１１０は四角形状である。また、電波遮断シート１１０の室外側の面には、電波遮断シート１１０に電力を供給する太陽電池モジュール（不図示）が設けられる。このように、窓側に太陽電池モジュールが設けられることで、電波シャッター１００は、電波遮断シート１１０に供給する電力を、効率的に発電可能になる。そして、電波遮断シート１１０に、コンセントと接続されるプラグおよびコードを備えることが不要になり、建物の室内の外観を向上できる。
【００３０】
また、図２（ｂ）に示されるように、電波遮断シート１１０は、第１電波遮断シート１１１と、第２電波遮断シート１１２と、第３電波遮断シート１１３とが層状に重ねられることで、形成される。そして、電波シャッター１００の電力供給部（不図示）が、第１電波遮断シート１１１、第２電波遮断シート１１２、第３電波遮断シート１１３に電力を供給することで、透過周波数を設定する。
【００３１】
第１電波遮断シート１１１には、ＬＴＥ通信網で使用される電波の周波数の４分の１波長の間隔でリアクタンスと高抵抗とが交互に設けられた導体線が、互いに並行して複数配列されている。そして、第１電波遮断シート１１１は、各導体線に電圧が給電されることで、ＬＴＥ通信網で使用される電波の周波数以外の周波数を遮断する。
【００３２】
第２電波遮断シート１１２には、３Ｇ通信網で使用される電波の周波数の４分の１波長の間隔でリアクタンスと高抵抗とが交互に設けられた導体線が、互いに並行して複数配列されている。そして、第２電波遮断シート１１２は、各導体線に電圧が給電されることで、３Ｇ通信網で使用される電波の周波数以外の周波数を遮断する。
【００３３】
第３電波遮断シート１１３には、２Ｇ通信網で使用される電波の周波数の４分の１波長の間隔でリアクタンスと高抵抗とが交互に設けられた導体線が、互いに並行して複数配列されている。そして、第３電波遮断シート１１３は、各導体線に電圧が給電されることで、２Ｇ通信網で使用される電波の周波数以外の周波数を遮断する。
【００３４】
すなわち、電波シャッター１００の電力供給部は、第１電波遮断シート１１１のみに電力を供給することで、ＬＴＥ通信網の電波の周波数を透過周波数として設定する。そして、第１電波遮断シート１１１は、ＬＴＥ通信網で使用される電波の周波数以外の電波を遮断する。また、電波シャッター１００の電力供給部は、第２電波遮断シート１１２のみに電力を供給することで、３Ｇ通信網の電波の周波数を透過周波数として設定する。そして、第２電波遮断シート１１２は、３Ｇ通信網で使用される電波の周波数以外の電波を遮断する。また、電波シャッター１００の電力供給部は、第３電波遮断シート１１３のみに電力を供給することで、２Ｇ通信網の電波の周波数を透過周波数として設定する。そして、第３電波遮断シート１１３は、２Ｇ通信網で使用される電波の周波数以外の電波を遮断する。
【００３５】
ここで、図２（ａ）に示されるように、電波遮断シート１１０は、互いに並行して複数配列された導体線が室内側からも視認可能に構成される。そのため、電波遮断シート１１０が建物の窓３００を覆う状態で設置された場合、建物の室内の外観を損なうという問題がある。
【００３６】
そこで、本発明の一実施の形態における電波シャッター１００は、電波を遮断する必要がない場合に、電波遮断シート１１０を収納する収納部１２０を有する。そして、電波遮断シート１１０は、例えば、電波を遮断する必要がない場合には、収納部１２０に収納される。
【００３７】
図３（ａ）および（ｂ）は、図１に示す電波シャッターの電波遮断シート１１０の外観の一例を示す斜視図であり、（ａ）は、電波遮断シート１１０が丸められた状態を示し、（ｂ）は、電波遮断シート１１０が展開された状態を示す。また、図４（ａ）および（ｂ）は、図１に示す電波シャッターの縦断面図であり、（ａ）は、電波遮断シート１１０が丸められた状態を示し、（ｂ）は、電波遮断シートが展開された状態を示す。なお、電波遮断シート１１０は、可撓部材または弾性部材で形成される。
【００３８】
図３（ｂ）および図４（ｂ）に示されるように、電波遮断シート１１０の上端１１４は、収納部１２０に内蔵される回転軸１２１に固定される。そして、電波遮断シート１１０は、回転軸１２１を軸に巻き上げられることに伴い、収納部１２０に収納される。その後、電波遮断シート１１０は、図３（ａ）および図４（ａ）に示されるように、丸められた状態で収納部１２０に収納される。
【００３９】
また、図３（ａ）および（ｂ）、図４（ａ）および（ｂ）に示されるように、電波遮断シート１１０は、収納部１２０から引き出されることで展開される。そして、電波遮断シート１１０は、図３（ｂ）および図４（ｂ）に示される展開された状態で、透過周波数以外の周波数の電波５００を遮断する。
【００４０】
ここで、電波シャッター１００の電波遮断シート１１０を収納部１２０に収納することに替えて、水平方向に開閉するカーテンとすることで、電波遮断シート１１０を使用しない時に、電波遮断シート１１０を目立ちにくくしても良い。図５は、本発明の一実施の形態における電波シャッターが、折り畳められた状態を示す。また、図６は、本発明の一実施の形態における電波シャッターが、展開された状態を示す。
【００４１】
図５および図６に示されるように、左右方向に延びるレール１３０が、窓３００の室内側または室外側の上方に設けられる。そして、電波遮断シート１１０の他端１１６は、レール１３０に固定される。また、電波遮断シート１１０の上端１１４（一端１１５を含み、他端１１６を除く）は、他端１１６を支点としてレール１３０に水平方向に摺動自在に取り付けられる。以下、電波遮断シート１１０の一端１１５が他端１１６へ向かう方向を閉方向１４１と呼び、一端１１５が他端１１６から離れる方向を開方向１４２と呼ぶ場合がある。
【００４２】
電波遮断シート１１０は、レール１３０に取り付けられた一端１１５が他端１１６（閉方向１４１）へ向かって移動されることで波状に折り畳められ、図５に示される状態になる。そして、電波遮断シート１１０が、図５に示されるように折り畳められた状態では、透過周波数の電波４００および透過周波数以外の周波数の電波５００が窓３００から室内１０へ侵入する。
【００４３】
そして、図５に示されるように、携帯端末２００は、透過周波数の電波４００および透過周波数以外の周波数の電波５００を受信する。
【００４４】
一方、電波遮断シート１１０は、レール１３０に取り付けられた一端１１５が他端１１６から離れる方向（開方向１４２）へ向かって移動されることで展開され、図６に示される状態になる。そして、電波遮断シート１１０が、図６に示されるように展開された状態では、電波遮断シート１１０は、透過周波数の電波４００を透過させ、透過周波数以外の周波数の電波５００を遮断する。
【００４５】
そして、図６に示されるように、携帯端末２００は、電波遮断シート１１０を透過する透過周波数の電波４００のみを受信する。
【００４６】
＜本実施の形態の効果＞
以上説明した本実施の形態によれば、電波シャッター１００が、室内にて測定される、データ通信周波数の電波の電界強度および音声通話周波数の電波の電界強度に基づいて設定される前記透過周波数以外の周波数の電波４００を遮断することで、携帯端末２００の接続先の通信網が、電界強度が弱い通信網へと自動的に切り替わることを防止できる。
【００４７】
また、電波シャッター１００が、データ通信周波数遮断シートまたは音声通話周波数遮断シートに電力を供給することで、透過周波数以外の周波数の電波４００を遮断することで、室内の電波環境に応じて、遮断する周波数を変更できるようになる。
【００４８】
また、電波シャッター１００の電波遮断シート１１０が、収納部に収納されることで、電波シャッター１００を使用しない時に、電波遮断シート１１０を隠すことが可能になり、建物の室内の外観を向上できる。
【００４９】
また、電波シャッター１００の電波遮断シート１１０が、電力を供給する太陽電池モジュールをさらに有することで、コンセントと接続するためのプラグおよびコードが不要になり、建物の室内の外観を向上できる。さらに、電波遮断シート１１０は、窓を覆う状態で設置されるため、太陽電池モジュールは効率的に電力を発電できる。
【００５０】
また、電波遮断シート１１０の上端１１４が、レールに左右方向に摺動自在に取り付けられることで、電波シャッター１００を使用しない時に、電波シャッターが目立ちにくくなり、建物の室内の外観を向上できる。
【００５１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００５２】
１０…室内、
１００…電波シャッター、１１０…電波遮断シート、１１１…第１電波遮断シート、１１２…第２電波遮断シート、１１３…第３電波遮断シート、１１４…上端、１１５…一端、１１６…他端、１２０…収納部、１２１…回転軸、１３０…レール、１４１…閉方向、１４２…開方向、
２００…携帯端末、
３００…窓、
４００，５００…電波。
【図１】
2016063440.tif 000003
【図２】
2016063440.tif 000004
【図３】
2016063440.tif 000005
【図４】
2016063440.tif 000006
【図５】
2016063440.tif 000007
【図６】
2016063440.tif 000008